(57)【要約】【課題】外側板の組付誤差を簡単に吸収できる回り階段を提供する。【解決手段】本発明は、コーナー部において互いに直交して配置される２つの段板支持用外側板５１ａ、６１ａのうち、縦方向に沿って配置される縦向き外側板５１ａの端部内面に、横方向に沿って配置される横向き外側板６１ａの端面が突き付けられるように組み付けられる回り階段を対象とする。縦向き外側板５１ａの端部内面に組付凹部５７ａが設けられ、横向き外側板６１ａの端面に組付凹部５７ａに対応する組付凸部８０が設けられる。組付凸部８０の幅Ｔが組付凹部５７ａの幅Ｗよりも小さく設定されて、組付凸部８０を組付凹部５７ａに嵌め込んだ状態において、横向き外側板６１ａの端部が縦向き外側板５１ａに対し組付凸部８０の幅方向（縦方向）に沿って移動可能に構成される。【選択図】      図９
2006249804.tif 000002
【特許請求の範囲】
【請求項１】
コーナー部において互いに直交して配置される２つの段板支持用外側板のうち、縦方向に沿って配置される縦向き外側板の端部内面に、横方向に沿って配置される横向き外側板の端面が突き付けられるように組み付けられる回り階段であって、
前記縦向き外側板の端部内面に組付凹部が設けられるとともに、前記横向き外側板の端面に前記組付凹部に対応する組付凸部が設けられ、
前記組付凸部の幅が前記組付凹部の幅よりも小さく設定されて、前記組付凸部を前記組付凹部に係合した状態において、前記横向き外側板の端部が前記縦向き外側板に対し前記組付凸部の幅方向（縦方向）に沿って移動可能に構成されることを特徴とする回り階段。
【請求項２】
前記組付凹部が前記縦向き外側板の端部内面における上下方向中間に設けられるとともに、
前記組付凸部が前記組付凹部に対応して前記横向き外側板の端面における上下方向中間に設けられる請求項１に記載の回り階段。
【請求項３】
前記組付凹部が前記縦向き外側板の端部内面における上側部および下側部のいずれか一方に設けられるとともに、
前記組付凸部が、前記組付凹部に対応して前記横向き外側板の端面における上側部および下側部のいずれか一方に設けられる請求項１に記載の回り階段。
【請求項４】
前記組付凸部の上端および下端のいずれか一方が、前記組付凹部の上端縁および下端縁のうち対応する端縁に係合することにより、前記縦向き外側板の端部上端が前記横向き外側板の端部上端に一致するよう配置される請求項１〜３のいずれか１項に記載の回り階段。
【発明の詳細な説明】
【技術分野】
【０００１】
この発明は、階段の向きを途中で変える際に用いられる回り階段に関する。
【背景技術】
【０００２】
二階建て三階建て住宅の木質製屋内階段においては、設置スペース等を考慮して、途中で１８０°向きを変える折り返し階段や、途中で９０°向きを変えるかね折れ階段など、廻り階段付きの階段構造が適用されることがある。
【０００３】
一方近年の住宅建築技術においては、屋内階段を組み立てるに際して、施工作業性の向上を図るため、階段を構成する部材のほとんどを工場側であらかじめ裁断（プレカット）しておき、そのプレカット材を施工現場に搬入して組立施工するというプレカット工法が多く採用されている。
【０００４】
廻り階段をプレカット工法により施工する手段としては、例えば下記特許文献１に示すものが周知である。この回り階段は、階段の向きを１８０°変える折り返し階段を構成するものであり、回り階段部分の外周四方向のうち三方向を閉塞するように３枚の外側板が配置されている。このうち例えば下段に配置される外側板は縦方向に沿って配置されるとともに、中段に配置される外側板は下段の外側板に対し直交するように横方向に沿って配置され、下段の外側板の端部内面に、中段の外側板の端部が突き付けられるように組み付けられている。
【０００５】
このようなプレカット式の回り階段においては、下段の外側板の端部内面には組付凹部が設けられるとともに、中段の外側板の端部接合部には、上記組付凹部に適合される組付凸部が設けられるものがある。そして階段組立時には、組付凸部を組付凹部に適合状態に嵌め込むことにより、２つの外側板を位置決めしつつ組み付けるようにしている。
【特許文献１】特許第３０５９６６０号（図１−１０）
【発明の開示】
【発明が解決しようとする課題】
【０００６】
しかしながら、回り階段は、非常に複雑な三次元形状を有するものであるため、特にプレカット式の回り階段においては、それが組み付けられる躯体側に許容範囲内であっても僅かに寸法誤差が生じていると、その悪影響を受けて外側板の組付位置精度が低下し、段板などを正確に組み付けることができない場合があった。この場合には例えば、施工現場において外側板を一旦取り外して、段板や外側板などを寸法加工し、再度、外側板を組み付けるという面倒な作業が必要となり、組付作業が困難になるという問題があった。
【０００７】
この発明は、上記従来技術の問題を解消し、外側板の組付誤差を簡単に吸収できて、正確に組み立てることができる回り階段を提供することを目的とする。
【課題を解決するための手段】
【０００８】
上記目的を達成するため、本発明は以下の構成を要旨とする。
【０００９】
［１］  コーナー部において互いに直交して配置される２つの段板支持用外側板のうち、縦方向に沿って配置される縦向き外側板の端部内面に、横方向に沿って配置される横向き外側板の端面が突き付けられるように組み付けられる回り階段であって、
前記縦向き外側板の端部内面に組付凹部が設けられるとともに、前記横向き外側板の端面に前記組付凹部に対応する組付凸部が設けられ、
前記組付凸部の幅が前記組付凹部の幅よりも小さく設定されて、前記組付凸部を前記組付凹部に係合した状態において、前記横向き外側板の端部が前記縦向き外側板に対し前記組付凸部の幅方向（縦方向）に沿って移動可能に構成されることを特徴とする回り階段。
【００１０】
［１ａ］  前記組付凸部は、その内面側が切除されて薄幅に形成される前項１に記載の回り階段。
【００１１】
［１ｂ］  前記組付凹部は、底部を有する有底凹部によって構成される前項１に記載の回り階段。
【００１２】
［１ｃ］  前記組付凹部は、底部を有しない貫通孔によって構成される前項１に記載の回り階段。
【００１３】
［１ｄ］  前記組付凹部は、縦向き外側板の端面に対応する位置に形成される前項１に記載の回り階段。
【００１４】
［１ｅ］  前記組付凹部は、縦向き外側板の端面から縦方向に沿って内側の位置に形成される前項１に記載の回り階段。
【００１５】
［２］  前記組付凹部が前記縦向き外側板の端部内面における上下方向中間に設けられるとともに、
前記組付凸部が前記組付凹部に対応して前記横向き外側板の端面における上下方向中間に設けられる前項１に記載の回り階段。
【００１６】
［２ａ］  前記組付凹部は、前記縦向き外側板の端部が切り欠かれることによって形成される前項２のいずれかに記載の回り階段。
【００１７】
［３］  前記組付凹部が前記縦向き外側板の端部内面における上側部および下側部のいずれか一方に設けられるとともに、
前記組付凸部が、前記組付凹部に対応して前記横向き外側板の端面における上側部および下側部のいずれか一方に設けられる前項１に記載の回り階段。
【００１８】
［３ａ］  前記組付凹部は、前記縦向き外側板の端部上側部が切り欠かれることによって形成される前項３に記載の回り階段。
【００１９】
［３ｂ］  前記組付凹部は、前記縦向き外側板の端部下側部が切り欠かれることによって形成される前項３に記載の回り階段。
【００２０】
［３ｃ］  前記縦向き外側板および前記横向き外側板は、相欠き接合される前項３に記載の回り階段。
【００２１】
［４］  前記組付凸部の上端および下端のいずれか一方が、前記組付凹部の上端縁および下端縁のうち対応する端縁に係合することにより、前記縦向き外側板の端部上端が前記横向き外側板の端部上端に一致するよう配置される前項１〜３のいずれか１項に記載の回り階段。
【００２２】
［４ａ］  前記組付凹部の上下寸法が、前記組付凸部の上下寸法よりも大きく設定される前項４に記載の回り階段。
【００２３】
［４ｂ］  前記組付凹部の上下寸法が、前記組付凸部の上下寸法に対しほぼ等しいサイズに設定される前項４に記載の回り階段。
【００２４】
［４ｃ］  前記組付凸部の上端が、前記組付凹部の上端縁に係合することにより、前記縦向き外側板の端部上端が前記横向き外側板の端部上端に一致するよう配置される前項４に記載の回り階段。
【００２５】
［４ｄ］  前記組付凸部の下端が、前記組付凹部の下端縁に係合することにより、前記縦向き外側板の端部上端が前記横向き外側板の端部上端に一致するよう配置される前項４に記載の回り階段。
【００２６】
［５］  外周一側縁に配置される外廻り一側板と、外周前側縁に配置される外廻り前側板とを具備し、
前記外廻り一側板および前記外廻り前側板のうち、一方が前記縦向き外側板として構成されるとともに、他方が前記横向き外側板として構成される前項１〜４のいずれか１項に記載の回り階段。
【００２７】
［５ａ］  外周他側縁に配置される外廻り他側板をさらに具備する前項５に記載の回り階段。
【００２８】
［５ｂ］  １８０°向きを変える折り返し階段によって構成される前項５に記載の回り階段。
【００２９】
［５ｃ］  ９０°向きを変えるかね折れ階段によって構成される前項５に記載の回り階段。
【００３０】
［６］  一対の両側板と、前記一対の両側板間に所定間隔おきに取り付けられた段板とを有する直階段と、
前記直階段の端部に組み付けられ、前項１〜５のいずれか１項に記載された回り階段と、を備える階段構造。
【００３１】
［６ａ］  前記直階段は、上端に前記回り階段が組み付けられる下直階段と、下端に前記回り階段が組み付けられる上直階段とを具備する前項６に記載の階段構造。
【発明の効果】
【００３２】
上記発明［１］にかかる回り階段によれば、組付凸部を組付凹部に嵌め込んだ状態において、横向き外側板の端部が縦向き外側板に対し組付凸部の幅方向（縦方向）に沿って移動可能に構成されるものであるため、その移動によって、組付誤差を吸収できて、段板を位置精度良く確実に組み付けることができ、ひいては階段組立作業を簡単かつ正確に行うことができる。
【００３３】
上記発明［２］［３］にかかる回り階段によれば、上記の効果を確実に得ることができる。
【００３４】
上記発明［４］にかかる回り階段によれば、組付凸部の上端および下端のいずれか一方を、組付凹部の上端縁および下端縁のうち対応する端縁に係合するだけで簡単に、縦向き外側板と横向き外側板との位置合わせを行うことができ、組立作業をより一層簡単かつ正確に行うことができる。
【発明を実施するための最良の形態】
【００３５】
図１および図２はこの発明の実施形態である回り階段（３０）が適用された階段構造を示す図である。同図に示すように、この実施形態の階段構造は、プレカット工法によって組み立てられるものであり、下直階段（１０）と、上直階段（２０）と、廻り階段（３０）とを有する折り返し階段をもって構成されている。
【００３６】
図１〜図４に示すように下直階段（１０）は、長板形状の外側板（下直外側板１１ａ）および内側板（下直内側板１１ｂ）と、両側板（１１ａ）（１１ｂ）間に設けられる複数の段板（１８）および複数の蹴込板（１９）とを具備している。
【００３７】
下直外側板（１１ａ）および下直内側板（１１ｂ）の内面側には、段板（１８）の取付位置に対応して、所定の間隔おきに複数の段板取付溝（１２ａ）（１２ｂ）が水平に形成されている。各段板取付溝（１２ａ）（１２ｂ）は、その後端側が開放されて、外側板（１１ａ）（１１ｂ）の後側から段板（１８）の端縁を挿入できるよう構成されている。さらに外側板（１１ａ）（１１ｂ）の内側面には、隣合う段板取付溝（１２ａ）（１２ｂ）間において、上側の段板取付溝（１２ａ）（１２ｂ）の先端部から下側の段板取付溝（１２ａ）（１２ｂ）の基端部にかけて複数の蹴込板取付溝（１３ａ）（１３ｂ）が垂直に形成されている。各蹴込板取付溝（１３ａ）（１３ｂ）は、その下端側が開放されて、外側板（１１ａ）（１１ｂ）の下側から蹴込板（１９）の端縁を挿入できるよう構成されている。
【００３８】
下直外側板（１１ａ）の上端縁は、上側が切り欠かれるように形成されて、上側切欠接合部（１０ａ）として形成されている。
【００３９】
本実施形態において、下直外側板（１１ａ）および下直内側板（１１ｂ）は、互いに対向するようにして支柱（１）（２）等の家屋構造体に固定される。
【００４０】
さらに内外両側板（１１ａ）（１１ｂ）の対向する段板取付溝（１２ａ）（１２ｂ）にその後方から段板（１８）の両側端縁がそれぞれ挿入されて固定されるとともに、対向する蹴込板取付溝（１３ａ）（１３ｂ）にその下方から蹴込板（１９）の両側端縁がそれぞれ挿入されて固定されている。
【００４１】
図５および図６に示すように、上直階段（２０）は、長板形状の外側板（上直外側板２１ａ）および内側板（上直内側板２１ｂ）と、両側板（２１ａ）（２１ｂ）間に設けられる複数の段板（２８）および複数の蹴込板（２９）とを具備している。
【００４２】
上直外側板（２１ａ）および上直内側板（２１ｂ）の内面側には、上記と同様に、段板取付溝（２２ａ）（２２ｂ）および蹴込板取付溝（２３ａ）（２３ｂ）が形成されている。
【００４３】
また図１０および図１１に示すように、上直外側板（２１ａ）の下端縁は、下側切欠接合部（２０ａ）として構成されている。
【００４４】
図１および図２に示すように、上直外側板（２１ａ）および上直内側板（２１ｂ）が互いに対向するようにして支柱（１）（２）等の家屋構造体に固定される。
【００４５】
さらに内外両側板（２１ａ）（２１ｂ）の対向する段板取付溝（２２ａ）（２２ｂ）にその後方から段板（２８）の両側端縁がそれぞれ挿入されて固定されるとともに、対向する蹴込板取付溝（２３ａ）（２３ｂ）にその下方から蹴込板（２９）の両側端縁がそれぞれ挿入されて固定されている。
【００４６】
図１および図２に示すように、廻り階段（３０）は、５段回しタイプのものであって、第１〜第５段板（３１）〜（３５）と、第１〜第５蹴込板（４１）〜（４５）と、廻り階段（３０）の周囲に配置される３枚の外廻り側板（５１ａ）（６１ａ）（７１ａ）と、廻り階段（３０）の中心部に配置される３枚の内廻り側板（５１ｂ）（６１ｂ）（７１ｂ）とを具備している。
【００４７】
図３、５、７に示すように外廻り側板は、廻り階段（３０）の外周における一側面に沿って配置される外廻り一側板（５１ａ）と、前側面に沿って配置される外廻り前側板（６１ａ）と、他側面に沿って配置される外廻り他側板（７１ａ）を具備している。なお本実施形態においては、外廻り一側板（５１ａ）および外廻り前側板（６１ａ）のうち一方が縦向き外側板として構成されるとともに、他方が横向き外側板として構成されている。
【００４８】
図３に示すように、外廻り一側板（５１ａ）は、下直外側板（１１ａ）の上端縁に沿って配置されるものであって、一端縁（下端縁）側が下側切欠接合部（５０ａ）として構成されている。
【００４９】
また外廻り一側板（５１ａ）の内面側には、第１および第２段板取付溝（３１ａ）（３２ａ）が水平方向に延びるように形成されている。
【００５０】
さらに外廻り一側板（５１ａ）の内面側には、段板取付溝（３１ａ）（３２ａ）の先端部から下方に延びる第１および第２蹴込板取付溝（４１ａ）（４２ａ）が形成されている。各蹴込板取付溝（４１ａ）（４２ａ）は、その下端側が開放されて、外廻り一側板（５１ａ）の下側から第１および第２蹴込板（４１）（４２）の端縁を挿入できるよう構成されている。
【００５１】
また図８〜図１０に示すように外廻り一側板（５１ａ）の内面側には、その後端部に垂直に延びる溝状の組付凹部（５７ａ）が形成されている。
【００５２】
この外廻り一側板（５１ａ）は、その切欠接合部（５０ａ）が下直外側板（１１ａ）の切欠接合部（１０ａ）に相欠き接合された状態で支柱（２）に固定される。これにより外廻り一側板（５１ａ）が、廻り階段（３０）の外周縁における一側面に沿って配置される。
【００５３】
図７（ａ）に示すように、外廻り前側板（６１ａ）の一端縁には、上記外廻り一側板（５１ａ）の組付凹部（５７ａ）に対応して組付凸部（８０）が形成されている。
【００５４】
図７〜図１０に示すようにこの組付凸部（８０）は、前面側（内面側）が削り取られて切除部（８１）が設けられ、その切除部（８１）の幅の分だけ、組付凸部（８０）の板厚方向寸法（凸部幅Ｔ）が薄く形成されている。この凸部幅（Ｔ）は、上記外廻り一側板（５１ａ）の組付凹部（５７ａ）の溝幅（凹部幅Ｗ）よりも小さく（薄く）なるよう設定されている。
【００５５】
これにより組付凸部（８０）を組付凹部（５７ａ）に嵌め込んだ状態において、外廻り前側板（６１ａ）を、外廻り一側板（５１ａ）に対し前後方向（組付凸部８０の幅方向または外廻り一側板５１ａの長さ方向）に沿って、切除部（８１）の幅の範囲内で移動可能に構成されている。
【００５６】
また本実施形態においては、外廻り前側板（６１ａ）における組付凸部（８０）の上下寸法は、外廻り一側板（５１ａ）における組付凹部（５７ａ）の上下寸法よりも小さく設定されて、組付凸部（８０）を組付凹部（５７ａ）に嵌め込んだ状態において、外廻り前側板（６１ａ）を、外廻り一側板（５１ａ）に対し上下方向に沿って移動可能に構成されている。さらに外廻り前側板（６１ａ）の組付凸部（８０）における上端面（８２）を、外廻り一側板（５１ａ）の組付凹部（５７ａ）における上端縁に接合した際に、外廻り両側板（５１ａ）（６１ａ）の接合部において、外廻り一側板（５１ａ）の端部上端縁と、外廻り前側板（６１ａ）の端部上端縁とが位置的に一致するよう構成されている。
【００５７】
なお本発明においては、組付凸部（８０）の下端面（８３）を、組付凹部（５７ａ）の下端縁に接合することにより、外廻り両側板（５１ａ）（６１ａ）の接合部において、外廻り一側板（５１ａ）の端部上端縁と、外廻り前側板（６１ａ）の端部上端縁とが位置的に一致するように形成しても良い。
【００５８】
さらに組付凸部（８０）の上下寸法を組付凹部（５７ａ）の上下寸法に対しほぼ等しいサイズに設定しても良い。もっとも本実施形態のように、組付凸部（８０）の上下寸法を組付凹部（５７ａ）の上下寸法よりも小さく設定しておくことにより、組付凸部（８０）の組付凹部（５７ａ）への嵌込作業を容易に行うことができ、組立作業性の向上を図ることができる。
【００５９】
図７に示すように外廻り前側板（６１ａ）の内面側には、第２〜第４段板（３２）〜（３４）に対応して、水平方向に延びる第２〜第４段板取付溝（３２ａ）〜（３４ａ）が形成されるとともに、第３および第４段板取付溝（３３ａ）（３４ａ）の先端から下方に垂直方向に延びる第３および第４蹴込板取付溝（４３ａ）（４４ａ）が形成されている。さらに外廻り前側板（６１ａ）の他端部には、垂直に延びる溝状の組付凹部（６７ａ）が形成されている。
【００６０】
なお本実施形態において、第２段板取付溝（３２ａ）は、外廻り一側板（５１ａ）および外廻り前側板（６１ａ）の双方に形成されている。さらに第４段板取付溝（３４ａ）は、外廻り前側板（６１ａ）および外廻り他側板（７１ａ）の双方に形成されている。
【００６１】
この外廻り前側板（６１ａ）は、その組付凸部（８０）が一側板（５１ａ）の組付凹部（５７ａ）に挿入された状態で支柱（２）に固定される。これにより外廻り前側板（６１ａ）が廻り階段（３０）の外周縁における前側面に沿って配置される。
【００６２】
図５示すように、外廻り他側板（７１ａ）は、上直外側板（２１ａ）の下端縁に沿って配置されるものであって、一端縁側（上端縁側）が上側切欠接合部（７０ａ）として構成されている。
【００６３】
また外廻り他側板（７１ａ）の内側面には、第４および第５段板（３４）（３５）の取付位置に対応して、水平方向に延びる第４および第５段板取付溝（３４ａ）（３５ａ）が形成されるとともに、第５段板取付溝（３５ａ）の先端から下方に垂直に延びる第５蹴込板取付溝（４５ａ）が形成されている。
【００６４】
さらに外廻り他側板（７１ａ）の他端縁側（下端縁側）には、上記外廻り前側板（６１ａ）の組付凹部（６７ａ）に対応して組付凸部（７７ａ）が形成されている。
【００６５】
この外廻り他側板（７１ａ）は、その切欠接合部（７０ａ）が上直外側板（２１ａ）の切欠接合部（２０ａ）に相欠き接合されるとともに、組付凸部（７７ａ）が外廻り前側板（６１ａ）の組付凹部（６７ａ）に挿入された状態で支柱（２）に固定される。これにより外廻り他側板（７１ａ）が、廻り階段（３０）の外周縁における他側面に沿って配置される。
【００６６】
また本実施形態においては、組付凸部（７７ａ）の上端面を、組付凹部（６７ａ）の上端縁に接合することにより、外廻り両側板（６１ａ）（７１ａ）の接合部において、外廻り前側板（６１ａ）の端部上端縁と、外廻り他側板（７１ａ）の端部上端縁とが位置的に一致するように構成されている。
【００６７】
なお本発明においては、組付凸部（７７ａ）の下端面を、組付凹部（６７ａ）の下端縁に接合することにより、外廻り両側板（６１ａ）（７１ａ）の接合部において、外廻り前側板（６１ａ）の端部上端縁と、外廻り他側板（７１ａ）の端部上端縁とが一致するように構成しても良い。
【００６８】
一方図１１および図１２に示すように、内廻り側板は、廻り階段（３０）の中心部における中心柱（１）の一側面に固定される内廻り一側板（５１ｂ）と、前側面に固定される内廻り前側板（６１ｂ）と、他側面に配置される内廻り他側板（７１ｂ）を具備している。
【００６９】
内廻り一側板（５１ｂ）には、上記下直内側板（１１ｂ）の上端部が係合されるとともに、内廻り他側板（７１ｂ）には、上記上直内側板（２１ｂ）の下端部が係合されている。
【００７０】
また各内廻り側板（５１ｂ）〜（７１ｂ）には、第１〜第５段板（３１）〜（３５）の内側端部を挿入支持するための段板取付溝や、第１〜第５の蹴込板（４１）〜（４５）の内側端部を挿入支持するための蹴込板取付溝が適宜形成されている。
【００７１】
そして廻り階段（３０）における第１〜第５段板（３１）〜（３５）は、外廻り側板（５１ａ）（６１ａ）（７１ａ）および内廻り側板（５１ｂ）（６１ｂ）（７１ｂ）における対応する段板取付溝（３１ａ）〜（３５ａ）に挿入されて固定されるとともに、第１〜第５蹴込板（４１）〜（４５）は、対応する第１〜第５蹴込板取付溝（４１ａ）〜（４５ａ）に挿入されて固定されている。
【００７２】
この構成における本実施形態の階段構造は、下側から施工する場合、以下の手順で施工される。
【００７３】
まず下直階段（１０）における下直外側板（１１ａ）を、対応する支柱（２）に固定する。このとき外側板（１１ａ）の下端は階下の床面に接地する。
【００７４】
次に廻り階段（３０）における外廻り一側板（５１ａ）を組み付ける。すなわち外廻り一側板（５１ａ）をその下側切欠接合部（５０ａ）を下直外側板（１１ａ）の上側切欠接合部（１０ａ）に相欠き接合して位置決め状態に載置しておいて、外廻り一側板（５１ａ）の上端を支柱（２）に固定した後、下端を支柱（２）に固定する。このとき外廻り一側板（５１ａ）は、その下側切欠接合部（５０ａ）を下直外側板（１１ａ）の上側切欠接合部（１０ａ）に係合することにより、両側板（５１ａ）（１１ａ）間の位置決めを簡単かつ精度良く行うことができる。さらに外廻り一側板（５１ａ）の切欠接合部（５０ａ）を、下直外側板（１１ａ）の切欠接合部（１１ａ）に載置することにより、外廻り一側板（５１ａ）の切欠接合部側を仮置き固定することができるため、外廻り一側板（５１ａ）の固定作業を効率良くスムーズに行うことができる。
【００７５】
次に外廻り前側板（６１ａ）を組み付ける。すなわち外廻り一側板（５１ａ）の組付凹部（５７ａ）に前側板（６１ａ）の組付凸部（８０）を差し込んで位置決めした状態で、前側板（６１ａ）の上側端部（他側板７１ａ側の端部）を支柱（２）に固定した後、下側端部（一側板５１ａ側の端部）を支柱（２）にビス止めなどによって固定する。
【００７６】
このとき図９に示すように、組付凸部（８０）は組付凹部（５７ａ）における前後方向中間位置に配置して、組付凹部（８０）の前後両面側に隙間（Ｓ）（Ｓ）が形成されるように配置し、ビスなどを外して固定を解除した状態では、外廻り前側板（６１ａ）を、隙間（Ｓ）（Ｓ）の分だけ前後方向（凸部の幅方向）に移動可能に配置しておく。
【００７７】
なお組付凸部（８０）を組付凹部（５７ａ）に嵌め込む際には、既述したように、組付凸部（８０）の上端面を、組付凹部（５７ａ）の上端縁に接合係止することにより、外廻り両側板（５１ａ）（６１ａ）の接合部において、外廻り一側板（５１ａ）の端部上端縁と、外廻り前側板（６１ａ）の端部上端縁とを一致させることができるため、両外側板（５１ａ）（６１ａ）間の位置決めを容易に行うことができる。
【００７８】
続いて外廻り他側板（７１ａ）を組み付ける。すなわち外廻り前側板（６１ａ）の組付凹部（６７ａ）に外廻り他側板（７１ａ）の組付凸部（７７ａ）を差し込んで位置決めした状態で、他側板（７１ａ）の下側端部（上直階段に対し反対側）を支柱（２）に固定する。
【００７９】
その後、上直外側板（２１ａ）を組み付ける。すなわち上直外側板（２１ａ）の切欠接合部（２０ａ）を外廻り他側板（７１ａ）の切欠接合部（７０ａ）に相欠き接合して位置決めした状態で、外廻り外側板（７１ａ）の上側端部（上直階段側）を支柱（２）に固定する。この上直外側板（２１ａ）の組付作業においても、上記と同様、上直外側板（２１ａ）の切欠接合部（２０ａ）を外廻り他側板（７１ａ）の切欠接合部（７０ａ）に相欠き接合することにより、両者間を精度良く簡単に位置決めすることができる。なお上直外側板（２１ａ）の上端部側は、階上の床面に接地する。
【００８０】
次に下直内側板（１１ｂ）を対応する支柱（２）（１）に固定する。このとき内側板（１１ｂ）の下端は階下の床面に接地する。
【００８１】
続いて下直内側板（１１ｂ）および下直外側板（１１ａ）間において、対応する段板取付溝（１２ａ）（１２ｂ）に複数の段板（１８）を階段裏面側から差し込んで取り付けるとともに、対応する蹴込板取付溝（１３ａ）（１３ｂ）に複数の蹴込板（１９）を階段裏面側から差し込んで取り付ける。
【００８２】
次に廻り階段（３０）における第１および第２段板（３１）（３２）を、外廻り一側板（５１ａ）および前側板（６１ａ）おける対応する段板取付溝（３１ａ）（３２ａ）にそれぞれ差し込んで取り付けるとともに、第１および第２蹴込板（４１）（４２）を、対応する蹴込板取付溝（４１ａ）（４２ａ）にそれぞれ差し込んで取り付ける。このとき第１段板（３１）の内側端縁は、下直内側板（１１ｂ）の最上位の段板取付溝（１２ｂ）に差し込んで取り付けるとともに、第１蹴込板（４１）の内側端縁は、下直内側板（１１ｂ）の最上位の蹴込板取付溝（１３ｂ）に差し込んで取り付ける。
【００８３】
続いて内廻り一側板（５１ｂ）を、下直内側板（１１ｂ）の上側端部に係合させつつ、前側端縁を中心柱（１）の前側面に一致させて（面一に合わせて）、中心柱（１）に固定する。
【００８４】
次に内廻り前側板（６１ｂ）を、その一側縁で内廻り一側板（５１ｂ）の前側木口を覆うようにして中心柱（１）に固定する。
【００８５】
このとき内廻り一側板（５１ｂ）および前側板（６１ｂ）における所定の段板取付溝および蹴込板取付溝を、第１および第２段板（３１）（３２）および第１および第２蹴込板（４１）（４２）の内側端縁に嵌め込むように配置する。
【００８６】
ここで第２段板（３２）は、外廻り一側板（５１ａ）および前側板（６１ａ）に跨って配置されるとともに、内廻り一側板（５１ｂ）および前側板（６１ｂ）に跨って配置されるものであるため、例えば家屋構造物に許容範囲内であっても僅少なりとも誤差があると、第２段板（３２）に位置ずれが生じて、第２段板（３２）の内側端縁を、内廻り側板（５１ｂ）（６１ｂ）の段板取付溝内に嵌め込むよう配置できず、段板（３２）や、内廻り側板（５１ｂ）（６１ｂ）を組み付けることができない場合がある。
【００８７】
このような場合、本実施形態においては、段板（３２）の位置ずれを簡単に吸収できて、段板（３２）および内廻り側板（５１ｂ）（６１ｂ）を確実に組み付けることができる。すなわち本実施形態においては、外廻り前側板（６１ａ）の一側板（５１ａ）側の端部における組付凸部（８０）の幅（Ｔ）を、外廻り一側板（５１ａ）の組付凹部（５７ａ）の幅（Ｗ）よりも狭く形成して、その狭幅の分、外廻り前側板（６１ａ）を一側板（５１ａ）に対し凹部幅（Ｗ）の範囲内において前後方向に移動可能に構成している。このため、外廻り前側板（６１ａ）の支柱（２）などへの固定を一旦解除してから、その外廻り前側板（６１ａ）を一側板（５１ａ）に対し前後に移動させることにより、段板（３２）および内廻り側板（５１ｂ）（６１ｂ）間の位置ずれを吸収できて、これらの位置合わせを正確に行うことができる。従って段板および内廻り側板（５１ｂ）（６１ｂ）を確実に組み付けることができる。
【００８８】
上記の位置合わせにより前後移動させた外廻り前側板（６１ａ）は、言うまでもなく再度、支柱（２）などに固定しておく。
【００８９】
なお外廻り前側板（６１ａ）の位置合わせは、外廻り前側板（６１ａ）を取り付けた直後に行っても良い。すなわち家屋構造物の誤差量をあらかじめ正確に把握できているような場合には、その誤差を吸収するように、外廻り前側板（６１ａ）の取付直後に、外廻り前側板（６１ａ）を組付凹部（５７ａ）の範囲内で前後移動させて、位置決めしておくことにより、後の工程で、段板（３２）や内廻り側板（５１ｂ）（６１ｂ）を組み付ける際に誤差がなく、スムーズに組み付けることができる。また同様に、外廻り前側板（６１ａ）の位置合わせは、第２段板（３２）を外廻り側板（５１ａ）（６１ａ）に組み付ける際に行うことも可能である。
【００９０】
内廻り前側板（６１ｂ）を組み付けた後は、第３および第４段板（３３）（３４）を、外廻り側板（６１ａ）（７１ａ）および内廻り前側板（６１ｂ）の対応する段板取付溝（３３ａ）（３４ａ）にそれぞれ差し込んで取り付ける。さらに第３および第４蹴込板（４３）（４４）を、対応する蹴込板取付溝（４３ａ）（４４ａ）にそれぞれ差し込んで取り付ける。
【００９１】
続いて内廻り他側板（７１ｂ）を、その前側縁で内廻り前側板（５１ｂ）の他側木口を覆うようにして、中心柱（１）に固定する。
【００９２】
その後、第５段板（３５）および第５蹴込板（４５）を、外廻り他側板（７１ａ）および内廻り他側板（７１ｂ）の第５段板取付溝（３５ａ）および第５蹴込板取付溝（４５ａ）にそれぞれ差し込んで取り付ける。
【００９３】
こうして廻り階段（３０）を組み付けた後、上直階段（２０）において、上直内側板（２１ｂ）を支柱（１）（２）に固定する。このとき上直内側板（２１ｂ）は、その下端部を内廻り他側板（７１ｂ）に接合するとともに、上端を階上の床面に接地した状態で、支柱（１）（２）に固定する。
【００９４】
その後、上直階段（２０）において、対応する段板取付溝（２２ａ）（２２ｂ）にそれぞれ段板（２８）を階段裏面側から差し込んで取り付けるとともに、対応する蹴込板取付溝（２３ａ）（２３ｂ）にそれぞれ蹴込板（２９）を階段裏面側から差し込んで取り付ける。これにより本実施形態の階段構造が形成される。
【００９５】
以上のように、本実施形態の回り階段においては、外廻り一側板（５１ａ）の組付凹部（５７ａ）内に挿入される外廻り前側板（６１ａ）の組付凸部（８０）を組付凹部（５７ａ）に対し狭幅に形成し、外廻り前側板（６１ａ）を外廻り一側板（５１ａ）に対し組付凸部（８０）の幅方向（前後方向）に移動自在に構成しているため、その移動によって、組付誤差を吸収できて、段板（３２）を位置精度良く確実に組み付けることができ、ひいては階段組立作業を効率良くスムーズに行うことができる。
【００９６】
また本実施形態においては、組付凸部（８０）の内面側を切除して凸部（８０）を狭幅に形成するものであるため、階段内側から目視した場合に、外廻り前側板（６１ａ）によって組付凹部（５７ａ）が確実に隠蔽される。このため外廻り一側板（５１ａ）と外廻り前側板（６１ａ）との凹凸接合部において隙間が形成されるようなことがなく、良好な美観を維持することができる。
【００９７】
また本実施形態においては、外廻り前側板（６１ａ）を前後に移動可能に構成されるものであるため、外廻り前側板（６１ａ）と階段回りの壁下地部材（図示省略）との間に隙間が形成される場合があるが、通常は、外廻り前側板（６１ａ）の上端縁に沿って石膏ボードなどのパネルが組み付けられるため、このパネルによって上記隙間を確実に隠蔽することができ、良好な美観を維持することができる。
【００９８】
なお上記実施形態においては、外廻り一側板（５１ａ）に形成される組付凹部（５７ａ）を底面を有する溝状に形成しているが、それだけに限られず、本発明においては、組付凹部（５７ａ）を、外廻り一側板（５１ａ）を貫通するようなスロット状の貫通孔として構成するようにしても良い。
【００９９】
さらに上記実施形態においては、組付凹部（５７ａ）を、外廻り一側板（５１ａ）の端面から少し内側（下直階段側）に入り込んだ位置に形成しているが、それだけに限られず、本発明においては、組付凹部（５７ａ）を後述の図１３〜図１７に示すように、外廻り一側板（５１ａ）の端面に対応する位置に形成するようにしても良い。
【０１００】
また上記実施形態においては、組付凹部（５７ａ）を溝状に形成しているが、本発明においては必ずしも組付凹部（５７ａ）を溝状に形成する必要はない。例えば図１３および図１４に示すように外廻り一側板（５１ａ）の端部中間部を切り欠いて、その切欠凹部を組付凹部（５７ａ）として構成しても良い。またこの場合においても、組付凹部（５７ａ）を、外廻り一側板（５１ａ）の内面から外面にかけて貫通する貫通孔として構成するようにしても良い。
【０１０１】
さらに外廻り一側板（５１ａ）と外廻り前側板（６１ａ）とを相欠き接合方式により接合するようにしても良い。例えば、図１５および図１６に示すように、外廻り一側板（５１ａ）の接合側端部に、下側を切り欠いた下側切欠形状の組付凹部（５７ａ）を形成し、外廻り前側板（６１ａ）の接合側端部に、上側を切り欠いて上側切欠形状の組付凸部（８０）を形成し、両接合部（５７ａ）（８０）を相欠き接合状態（下勝ち接合状態）で組み合わせるようにしても良い。また上下を逆にして、すなわち図１７に示すように、外廻り一側板（５１ａ）の接合側端部に、上側を切り欠いた上側切欠形状の組付凹部（５７ａ）を形成し、外廻り前側板（６１ａ）の接合側端部に、下側を切り欠いて下側切欠形状の組付凸部（８０）を形成して、両接合部（５７ａ）（８０）を相欠き接合状態（上勝ち接合状態）で組み合わせるようにしても良い。なお言うまでもなく、上記図１３〜図１７の各変形例において、組付凸部（８０）の幅を、組付凹部（５７ａ）の幅よりも小さく設定することにより、上記実施形態と同様に、同様の作用効果を得ることができる。ここで上記図１３〜図１７の変形例においては、組付凹部（５７ａ）の一側端面は開放されるが、この開放端面（５７ａ）には、スペーサや壁下地部材等が配置が配置されるため、それらの部材によって組付凹部（５７ａ）の開放端面（５７ｂ）が閉塞される。従ってスペーサ等の閉塞部材によって、組付凹部（５７ａ）の一側壁部が構成されるものである。
【０１０２】
また図１５〜図１７の変形例においても、上記実施形態と同様に、組付凹部（５７ａ）を、外廻り一側板（５７ａ）を貫通せずに側板（５７ａ）内面側が凹没された有底形状に形成しても良い。
【０１０３】
また本発明においては、外廻り一側板（５１ａ）および外廻り前側板（６１ａ）間の接合構造と同様な構造を、外廻り前側板（６１ａ）および外廻り他側板（７１ａ）間の接合部に適用することも可能であり、その場合においても、上記と同様に、同様の作用効果を得ることができる。
【０１０４】
また上記実施形態においては、途中で１８０°向きを変える折り返し階段に本発明を適用する場合を例に挙げて説明したが、それだけに限られず、本発明は、途中で９０°向きを変えるかね折れ階段など、他の廻り階段にも適用することができる。
【０１０５】
また上記実施形態においては、階段構造を下側から施工する場合について説明したが、それだけに限られず、本発明は、階段構造を上側から施工することもできる。
【０１０６】
上記実施形態は、廻り階段（３０）に５枚の段板が取り付けられる５段廻しタイプの階段構造を例に挙げて説明したが、それだけに限られず、本発明は、廻り階段が２段廻し、３段廻し、４段廻し、６段廻しタイプ等にも適用でき、さらに廻り階段の片側、あるいは全域が踊り場に形成されたものにも上記と同様に適用することができる。
【０１０７】
また上記実施形態等においては、中心柱（１）に内廻り側板（５１ｂ）（６１ｂ）（７１ｂ）を取り付けて、廻り階段（２０）における段板（３１）〜（３５）の内側（中心側）を支持するようにしているが、本発明においては、廻り段板（３１）〜（３５）の内側支持方法は特に限定されるものではない。例えば中心柱（１）に段板支持溝を刻設して、その溝に廻り段板内側部を支持させたり、あるいは中心柱（１）の外周面にＬ型金具等の金物を取り付けて、その金物に廻り段板内側部を支持させるようにしても良い。
【図面の簡単な説明】
【０１０８】
【図１】この発明の実施形態である回り階段が適用された階段構造を示す斜視図である。
【図２】実施形態の階段構造を示す平面図である。
【図３】実施形態の階段構造における下直外側板から外廻り一側板にかけての部分を図２の矢符Ａ１方向から見た場合の内側面図である。
【図４】実施形態の階段構造における下直内側板を図２の矢符Ｂ１方向から見た場合の内側面図である。
【図５】実施形態の階段構造における外廻り他側板から上直外側板にかけての部分を矢符Ａ２方向から見た場合の内側面図である。
【図６】実施形態の階段構造における上直内側板を図２の矢符Ｂ２方向から見た場合の内側面図である。
【図７】実施形態の回り階段における外廻り前側板を図２の矢符Ａ３方向から見た場合の内側面図、実施形態の外廻り前側板における組付凸部を周辺を拡大して示す内側面図である。
【図８】実施形態の回り階段における外廻り一側板および前側板の接合部周辺を分解して示す斜視図である。
【図９】図８の接合部周辺を示す水平断面図である。
【図１０】図９の分解断面図である。
【図１１】実施形態の回り階段における内廻り側板周辺を示す平面図である。
【図１２】図１１の分解平面図である。
【図１３】この発明の第１変形例である回り階段の外廻り一側板および前側板の接合部周辺を分解して示す斜視図である。
【図１４】図１３の接合部周辺を示す水平断面図である。
【図１５】この発明の第２変形例である回り階段の外廻り一側板および前側板の接合部周辺を分解して示す斜視図である。
【図１６】図１５の接合部周辺を示す水平断面図である。
【図１７】この発明の第３変形例である回り階段の外廻り一側板および前側板の接合部周辺を分解して示す斜視図である。
【符号の説明】
【０１０９】
３０…廻り階段
３１〜３５…段板
３１ａ…段板取付溝
５１ａ…外廻り一側板（外側板）
５７ａ…組付凹部
６１ａ…外廻り前側板（外側板）
７１ａ…外廻り他側板（外側板）
８０…組付凸部
８２…上端面
８３…下端面
Ｔ…凸部幅
Ｗ…凹部幅
【図１】
2006249804.tif 000003
【図２】
2006249804.tif 000004
【図３】
2006249804.tif 000005
【図４】
2006249804.tif 000006
【図５】
2006249804.tif 000007
【図６】
2006249804.tif 000008
【図７】
2006249804.tif 000009
【図８】
2006249804.tif 000010
【図９】
2006249804.tif 000011
【図１０】
2006249804.tif 000012
【図１１】
2006249804.tif 000013
【図１２】
2006249804.tif 000014
【図１３】
2006249804.tif 000015
【図１４】
2006249804.tif 000016
【図１５】
2006249804.tif 000017
【図１６】
2006249804.tif 000018
【図１７】
2006249804.tif 000019